(57)【要約】【課題】カテーテルが抜け難いカテーテルコネクタを提供する。【解決手段】本発明に係るカテーテルコネクタ１００は、カテーテル２が挿入される第１貫通孔１１と、第１貫通孔１１に連通する第１穴１２および第２穴１３とが設けられた第１部材１０と、カテーテル２が挿入され、第１貫通孔１１に連通する第２貫通孔４１が設けられ、カテーテル２を固定する弾性部材４０と、第１部材１０に軸部材１６を介して接続され、第１突起部２２を有する第２部材２０と、を含み、第２部材２０が軸部材１６を軸として回動することにより、第１突起部２２が第１貫通孔１１に位置しない第１状態と、第１突起部２２が第１穴１２を通って第１貫通孔１１に位置する第２状態と、になり、第１突起部２２は、第２状態において、カテーテル２を第２穴１３に押す。【選択図】図５
2020096754.tif 000002
【特許請求の範囲】
【請求項１】
カテーテルが挿入される第１貫通孔と、前記第１貫通孔に連通する第１穴および第２穴とが設けられた第１部材と、
前記カテーテルが挿入され、前記第１貫通孔に連通する第２貫通孔が設けられ、前記カテーテルを固定する弾性部材と、
前記第１部材に軸部材を介して接続され、第１突起部を有する第２部材と、
を含み、
前記第２部材が前記軸部材を軸として回動することにより、前記第１突起部が前記第１貫通孔に位置しない第１状態と、前記第１突起部が前記第１穴を通って前記第１貫通孔に位置する第２状態と、になり、
前記第１突起部は、前記第２状態において、前記カテーテルを前記第２穴に押す、カテーテルコネクタ。
【請求項２】
請求項１において、
前記第１突起部は、前記第２状態において、前記カテーテルと接する小突起部を有する、カテーテルコネクタ。
【請求項３】
請求項１または２において、
雄ねじが設けられた第３部材を含み、
前記第１部材には、前記雄ねじに螺合される雌ねじが設けられ、
前記第３部材が前記第１部材にねじ込まれることにより、前記弾性部材は、前記第３部材に押圧されて、前記カテーテルを固定する、カテーテルコネクタ。
【請求項４】
請求項３において、
前記第１部材に対する前記第３部材の回転を制限するストッパー部を含み、
前記ストッパー部は、前記第２部材に設けられた第２突起部であり、
前記第３部材には、第３穴が設けられ、
前記弾性部材が前記第３部材に押圧された状態で、前記第２部材が回動することにより、前記第２突起部は、前記第３穴に位置する、カテーテルコネクタ。
【請求項５】
請求項３または４において、
前記第２部材は、第３突起部を有し、
前記第３部材は、第４突起部を有し、
前記第３部材の前記第１部材に対するねじ込み量が所定値の場合に、前記弾性部材は、前記第３部材に押圧され、
前記ねじ込み量が前記所定値未満の場合に、前記第３突起部は、前記第４突起部に当接する、カテーテルコネクタ。
【発明の詳細な説明】
【技術分野】
【０００１】
本発明は、カテーテルコネクタに関する。
【背景技術】
【０００２】
硬膜外麻酔の場合、例えば、抵抗消失法や懸滴法などを用いて穿刺した硬膜外針からカテーテルを硬膜外腔に挿入する。そして、カテーテルの後端にカテーテルコネクタを接続し、カテーテルコネクタにさらに注射器などの器具を接続して薬液を硬膜外腔に注入する。
【０００３】
例えば特許文献１には、螺合部材を本体に対して回すことにより、雌ねじ部と雄ねじ部とが相対回転し、螺合部材を押し込むことにより弾性部材に挟圧を与えて、カテーテルを固定するカテーテルコネクタが記載されている。
【先行技術文献】
【特許文献】
【０００４】
【特許文献１】特開２０１３−２２２５５号公報
【発明の概要】
【発明が解決しようとする課題】
【０００５】
上記のようなカテーテルコネクタでは、カテーテルが意図せず引っ張られた場合に、カテーテルが抜けないことが望まれている。
【課題を解決するための手段】
【０００６】
本発明に係るカテーテルコネクタは、
カテーテルが挿入される第１貫通孔と、前記第１貫通孔に連通する第１穴および第２穴とが設けられた第１部材と、
前記カテーテルが挿入され、前記第１貫通孔に連通する第２貫通孔が設けられ、前記カテーテルを固定する弾性部材と、
前記第１部材に軸部材を介して接続され、第１突起部を有する第２部材と、
を含み、
前記第２部材が前記軸部材を軸として回動することにより、前記第１突起部が前記第１貫通孔に位置しない第１状態と、前記第１突起部が前記第１穴を通って前記第１貫通孔に位置する第２状態と、になり、
前記第１突起部は、前記第２状態において、前記カテーテルを前記第２穴に押す。
【０００７】
前記カテーテルコネクタの一態様において、
前記第１突起部は、前記第２状態において、前記カテーテルと接する小突起部を有してもよい。
【０００８】
前記カテーテルコネクタの一態様において、
雄ねじが設けられた第３部材を含み、
前記第１部材には、前記雄ねじに螺合される雌ねじが設けられ、
前記第３部材が前記第１部材にねじ込まれることにより、前記弾性部材は、前記第３部材に押圧されて、前記カテーテルを固定してもよい。
【０００９】
前記カテーテルコネクタの一態様において、
前記第１部材に対する前記第３部材の回転を制限するストッパー部を含み、
前記ストッパー部は、前記第２部材に設けられた第２突起部であり、
前記第３部材には、第３穴が設けられ、
前記弾性部材が前記第３部材に押圧された状態で、前記第２部材が回動することにより、前記第２突起部は、前記第３穴に位置してもよい。
【００１０】
前記カテーテルコネクタの一態様において、
前記第２部材は、第３突起部を有し、
前記第３部材は、第４突起部を有し、
前記第３部材の前記第１部材に対するねじ込み量が所定値の場合に、前記弾性部材は、前記第３部材に押圧され、
前記ねじ込み量が前記所定値未満の場合に、前記第３突起部は、前記第４突起部に当接してもよい。
【図面の簡単な説明】
【００１１】
【図１】本実施形態に係るカテーテルコネクタを模式的に示す側面図。
【図２】本実施形態に係るカテーテルコネクタを模式的に示す側面図。
【図３】本実施形態に係るカテーテルコネクタを模式的に示す平面図。
【図４】本実施形態に係るカテーテルコネクタを模式的に示す断面図。
【図５】本実施形態に係るカテーテルコネクタを模式的に示す断面図。
【図６】本実施形態に係るカテーテルコネクタを模式的に示す断面斜視図。
【図７】本実施形態に係るカテーテルコネクタを模式的に示す斜視図。
【図８】本実施形態に係るカテーテルコネクタの第１部材および軸部材を模式的に示す平面図。
【図９】本実施形態に係るカテーテルコネクタの第１突起部を模式的に示す断面図。
【図１０】本実施形態に係るカテーテルコネクタの第２部材および第３部材を模式的に示す断面図。
【図１１】第３部材の第１部材に対するねじ込み量が所定値未満の場合における、本実施形態に係るカテーテルコネクタを模式的に示す断面図。
【図１２】本実施形態に係るカテーテルコネクタの使用方法を説明するためのフローチャート。
【図１３】本実施形態の変形例に係るカテーテルコネクタの第１突起部を模式的に示す断面図。
【発明を実施するための形態】
【００１２】
以下、本発明の好適な実施形態について、図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００１３】
１．  カテーテルコネクタ
１．１．  構成
まず、本実施形態に係るカテーテルコネクタの構成について、図面を参照しながら説明する。図１および図２は、本実施形態に係るカテーテルコネクタ１００を模式的に示す側面図である。図３は、本実施形態に係るカテーテルコネクタ１００を模式的に示す平面図である。図４および図５は、本実施形態に係るカテーテルコネクタ１００を模式的に示す断面図である。図６は、本実施形態に係るカテーテルコネクタ１００を模式的に示す断面斜視図である。図７は、本実施形態に係るカテーテルコネクタ１００を模式的に示す斜視図である。
【００１４】
なお、図４，５は、図３に示すＡ−Ａ線に相当する断面である。また、図６は、図３に
示すＡ−Ａ線に相当する断面斜視図である。また、図１〜図７では、互いに直交する３軸として、Ｘ軸、Ｙ軸、およびＺ軸を図示している。
【００１５】
カテーテルコネクタ１００は、図１〜図７に示すように、第１部材１０と、第２部材２０と、第３部材３０と、弾性部材４０と、を含む。なお、便宜上、図６では、弾性部材４０の図示を省略している。また、図１，４，６では、第２部材２０が開いた状態を示している。また、図２，３，５，７では、第２部材２０が閉じた状態を示している。また、図２，７では、カテーテル２が挿入された状態を示している。
【００１６】
第１部材１０の材質は、例えば、ポリプロピレン、ポリカーボネートなどである。第１部材１０は、例えば、射出成形によって形成される。
【００１７】
第１部材１０には、図４および図５に示すように、第１貫通孔１１が設けられている。第１貫通孔１１は、カテーテル２が挿入可能に形成され、第１貫通孔１１には、カテーテル２が挿入される。図示の例では、第１貫通孔１１は、第１部材１０をＸ軸方向に貫通している。カテーテル２は、第１貫通孔１１の−Ｘ軸方向の端から挿入される。
【００１８】
第１部材１０には、第１穴１２が設けられている。第１穴１２は、第１貫通孔１１に連通している。図示の例では、第１穴１２は、第１貫通孔１１の＋Ｚ軸方向に位置している。第１穴１２は、第１部材１０の表面から第１貫通孔１１まで設けられている。第１穴１２は、第２部材２０の第１突起部２２が挿入可能に形成されている。
【００１９】
第１部材１０には、第２穴１３が設けられている。第２穴１３は、第１貫通孔１１に連通している。第２穴１３は、第１貫通孔１１の−Ｚ軸方向に位置している。図示の例では、第２穴１３は、第１部材１０の表面から第１貫通孔１１まで設けられている。第２穴１３は、Ｚ軸方向からみて、第１穴１２と重なっている。第１貫通孔１１は、第１穴１２と第２穴１３との間に位置している。
【００２０】
第１部材１０は、収容部１４を有している。収容部１４は、第３部材３０の被収容部３１を収容する。収容部１４によって規定される空間は、第１貫通孔１１と連通している。収容部１４には、雌ねじ１５が設けられている。雌ねじ１５は、収容部１４と一体に設けられている。雌ねじ１５は、第３部材３０に設けられた雄ねじ３２に羅合される。
【００２１】
第１部材１０には、図１および図２に示すように、軸部材１６が設けられている。ここで、図８は、第１部材１０および軸部材１６を模式的に示す平面図である。なお、便宜上、図８では、第１部材１０を簡略化して図示している。また、図８では、互いに直交する３軸として、Ｘ軸、Ｙ軸、およびＺ軸を図示している。
【００２２】
軸部材１６は、図８に示すように、第１部材１０からＹ軸方向に突出している。図示の例では、軸部材１６は、２つ設けられ、一方の軸部材１６は、第１部材１０から＋Ｙ軸方向に突出し、他方の軸部材１６は、第１部材１０から−Ｙ軸方向に突出している。軸部材１６は、例えば、第１部材１０と一体に設けられている。
【００２３】
第２部材２０は、図１および図２に示すように、第１部材１０に軸部材１６を介して接続されている。第２部材２０には、軸部材１６が挿入された貫通孔２１が設けられている。第２部材２０は、軸部材１６を軸として回動する。第２部材２０の材質は、例えば、第１部材１０と同じである。第２部材２０は、例えば、射出成形によって形成される。
【００２４】
第２部材２０は、図４および図５に示すように、第１突起部２２を有している。第１突起部２２は、第２部材２０の第１部材１０側の面に設けられている。第２部材２０が軸部
材１６を軸として回動することにより、カテーテルコネクタ１００は、図４に示すように、第１突起部２２が第１貫通孔１１に位置しない第１状態と、図５に示すように、第１突起部２２が第１穴１２を通って第１貫通孔１１に位置する第２状態と、になる。
【００２５】
第１突起部２２は、第１状態では、Ｘ軸方向からみて、第１貫通孔１１と重なっていない。第１突起部２２は、第２状態では、Ｘ軸方向からみて、第１貫通孔１１と重なっている。なお、図５では、第２状態であり、かつ、弾性部材４０が第３部材３０によって押圧されてカテーテル２を固定している状態を示している。
【００２６】
第１突起部２２は、第２状態において、カテーテル２を第２穴１３に押す。カテーテル２は、第１突起部２２に押されて屈曲する。カテーテル２の屈曲した屈曲部２ａは、第２穴１３に位置する。図示の例では、屈曲部２ａは、湾曲した形状を有している。カテーテル２は、第２状態において、例えば、第１突起部２２と、第１部材１０の第２穴１３が形成された穴形成部１３ａと、によって挟まされている。ここで、図９は、第１突起部２２を模式的に示す断面図である。
【００２７】
第１突起部２２は、図９に示すように、小突起部２２ａと、大突起部２２ｂと、を有している。小突起部２２ａは、第２状態において、カテーテル２と接する。図５に示す例では、小突起部２２ａおよび大突起部２２ｂともに、カテーテル２と接している。図示はしないが、第２状態において、小突起部２２ａがカテーテル２と接し、大突起部２２ｂは、カテーテル２と接していなくてもよい。
【００２８】
小突起部２２ａは、大突起部２２ｂの先端に設けられている。小突起部２２ａの大きさは、大突起部２２ｂの大きさよりも小さい。具体的には、図５に示す第２状態において、Ｚ軸方向からみて、小突起部２２ａは、大突起部２２ｂの外縁の内側に設けられている。小突起部２２ａの形状は、特に限定されないが、湾曲した形状であることが好ましい。これにより、第１突起部２２がカテーテル２に接した場合に、カテーテル２に穴が空くことを抑制することができる。
【００２９】
第２部材２０は、図４および図５に示すように、第２突起部２３を有している。第２突起部２３は、第２部材２０の第１部材１０側の面に設けられている。第２突起部２３は、第１突起部２２よりも軸部材１６から遠い位置に設けられている。図示の例では、第２突起部２３は、第２部材２０の軸部材１６とは反対側の端部に設けられている。
【００３０】
第２部材２０は、嵌合部２４を有している。嵌合部２４は、例えば、第１突起部２２と第２突起部２３との間に設けられている。第１部材１０は、被嵌合部１７を有している。嵌合部２４は、図５に示すように、被嵌合部１７と嵌合する。これにより、第２部材２０は、閉じた状態になる。一方、図４に示すように、嵌合部２４が被嵌合部１７と嵌合していない状態は、第２部材２０が開いた状態である。図示の例では、嵌合部２４は、貫通孔であり、被嵌合部１７は、突起である。
【００３１】
第２部材２０には、貫通孔２５が設けられている。貫通孔２５は、第１貫通孔１１と連通している。カテーテル２は、貫通孔２５から挿入されて、第１貫通孔１１に至る。
【００３２】
貫通孔２５は、図４に示すように、第１状態において、Ｘ軸方向に第１貫通孔１１と連通するように構成されている。これにより、カテーテル２を、Ｘ軸方向に進行させて、貫通孔２５および第１貫通孔１１に挿入させることができる。
【００３３】
貫通孔２５は、図５に示すように、第２部材２０が閉じた状態において、Ｘ軸に対して斜めの方向に第１貫通孔１１と連通するように構成されている。第１貫通孔１１の貫通孔
２５側の端部は、貫通孔２５側に向けて徐々に径が大きくなるテーパー部１１ａである。そのため、第２部材２０が閉じた状態において、カテーテル２が第１部材１０と第２部材２０とに潰されてカテーテル２に注入される薬液が通らなくなることを抑制することができる。図５に示す例では、カテーテル２は、第２部材２０の貫通孔２５が形成されている貫通孔形成部２５ａによって、屈曲されている。カテーテル２は、例えば、第１部材１０のテーパー部１１ａが形成されているテーパー部形成部１１ｂと、貫通孔形成部２５ａと、によって挟まされている。
【００３４】
第３部材３０は、第１部材１０に挿入される。図示の例では、第３部材３０は、第１部材１０の＋Ｘ軸方向の端から第１部材１０に挿入される。第３部材３０の材質は、例えば、第１部材１０と同じである。第３部材３０は、例えば、射出成形によって形成される。
【００３５】
第３部材３０は、被収容部３１を有している。被収容部３１は、第１部材１０の収容部１４に収容される。被収容部３１には、雄ねじ３２が設けられている。雄ねじ３２は、被収容部３１と一体に設けられている。雄ねじ３２は、雌ねじ１５と螺合する。これにより、第３部材３０は、第１部材１０にねじ込まれる。
【００３６】
第３部材３０には、弾性部材４０に設けられた第２貫通孔４１と連通する第３貫通孔３３が設けられている。カテーテル２は、第３貫通孔３３の−Ｘ軸方向の端から第３貫通孔３３に挿入される。カテーテル２に注入される薬液は、第３貫通孔３３の＋Ｘ軸方向の端から第３貫通孔３３に注入される。
【００３７】
第３部材３０は、第３貫通孔３３を狭窄させる狭窄部３４を有している。カテーテル２を挿入する際に、カテーテル２は、−Ｘ軸方向の端から第３貫通孔３３に挿入され、狭窄部３４に接して、進行が停止する。そのため、カテーテル２の端２ｂは、狭窄部３４に位置する。
【００３８】
第３部材３０は、薬液を注入する薬液注入器具と接続する接続部３５を有する。接続部３５は、第３部材３０の＋Ｘ軸方向の端部である。接続部３５には、例えば、雄ねじ３６が設けられている。接続部３５と薬液注入器具とが接続されて、薬液注入器具から第３貫通孔３３に薬液が注入される。注入された薬液は、カテーテル２内に至る。薬液注入器具は、図示はしないが、例えば、注射器などである。
【００３９】
第３部材３０には、第３穴３７が設けられている。第３穴３７は、被収容部３１よりも＋Ｘ軸方向に位置している。第２突起部２３は、第１部材１０に対する第３部材３０の回転を制限するストッパー部である。図５に示すように、弾性部材４０が第３部材３０に押圧された状態で、第２部材２０が回動することにより、第２突起部２３は、第３穴３７に位置する。ここで、図１０は、第２部材２０および第３部材３０を模式的に示す断面図であって、第３穴３７近傍を示している。図１０では、第２突起部２３が第３穴３７に位置している状態を図示している。なお、便宜上、図１０では、第２部材２０および第３部材３０を簡略化して図示している。また、図１０では、互いに直交する３軸として、Ｘ軸、Ｙ軸、およびＺ軸を図示している。
【００４０】
第３部材３０は、図１０に示すように、第３穴３７を規定している第１内面３７ａおよび第２内面３７ｂを有している。図示の例では、第１内面３７ａおよび第２内面３７ｂは、互いに対向している。第２突起部２３は、第１内面３７ａおよび第２内面３７ｂに当接されている。そのため、第２突起部２３は、第１部材１０に対する第３部材３０の回転を制限するストッパー部として機能する。なお、第２突起部２３がストッパーとして機能すれば、第２突起部２３は、第１内面３７ａおよび第２内面３７ｂに当接されなくてもよい。
【００４１】
第３部材３０は、第２部材２０の第３突起部が当接される第４突起部３８を有している。なお、カテーテルコネクタ１００では、第２部材２０の第３突起部は、第２突起部２３と同一の突起部である。
【００４２】
第３部材３０の第１部材１０に対するねじ込み量が所定値の場合に、図５に示すように、弾性部材４０は、第３部材３０に押圧されてカテーテル２を固定する。さらに、第２突起部２３は、第３穴３７に位置することができ、第２部材２０が閉じた状態となる。一方、図１１に示すように、第３部材３０の第１部材１０に対するねじ込み量が所定値未満の場合に、第２突起部２３は、第４突起部３８に当接する。そのため、ねじ込み量が所定値未満の場合は、第２突起部２３が第３穴３７に位置することができず、第２突起部２３が閉じた状態とならない。
【００４３】
なお、図１１は、第３部材３０の第１部材１０に対するねじ込み量が所定値未満の場合における、カテーテルコネクタ１００を模式的に示す断面図である。図１１では、互いに直交する３軸として、Ｘ軸、Ｙ軸、およびＺ軸を図示している。
【００４４】
弾性部材４０は、図４および図５に、第１部材１０と第３部材３０との間に設けられている。弾性部材４０は、収容部１４に収容されている。弾性部材４０は、弾性を有する。弾性部材４０の材質は、例えば、エラストマーである。弾性部材４０は、カテーテル２を固定可能に構成され、カテーテル２を固定する。
【００４５】
弾性部材４０には、第２貫通孔４１が設けられている。第２貫通孔４１は、カテーテル２が挿入可能に構成され、カテーテル２が挿入される。図示の例では、第２貫通孔４１は、弾性部材４０をＸ軸方向に貫通し、カテーテル２は、第２貫通孔４１を通って弾性部材４０を貫通している。
【００４６】
弾性部材４０は、図４に示すように、第３部材３０によって押圧されていない状態では、カテーテル２を弾性部材４０に貫通させることもできるし、貫通されたカテーテル２を弾性部材４０から引き抜くこともできる。一方、図５に示すように、雄ねじ３２が雌ねじ１５に羅合して第３部材３０が第１部材１０にねじ込まれると、弾性部材４０は、第３部材３０に押圧される。これにより、第２貫通孔４１は、内径が小さくなり、すなわち縮径し、弾性部材４０は、カテーテル２を固定する。図５に示す弾性部材４０は、押圧されているため、図５に示す弾性部材４０のＸ軸方向の長さは、図４に示す弾性部材４０のＸ軸方向の長さよりも小さい。
【００４７】
１．２．  使用方法
次に、カテーテルコネクタ１００の使用方法について、図面を参照しながら説明する。図１２は、カテーテルコネクタ１００の使用方法を説明するためのフローチャートである。
【００４８】
図４に示すように、第１部材１０、第２部材２０、第３部材３０、および弾性部材４０を準備する（ステップＳ１）。ステップＳ１では、弾性部材４０は、第３部材３０によって押圧されていない。さらに、カテーテルコネクタ１００は、第１突起部２２が第１貫通孔１１に位置しない第１状態であり、第２部材２０が開いた状態である。
【００４９】
図５に示すように、カテーテルコネクタ１００の−Ｘ軸方向の端からカテーテル２を挿入する（ステップＳ２）。具体的には、カテーテル２を、貫通孔２５、第１貫通孔１１、第２貫通孔４１、第３貫通孔３３の順に通し、狭窄部３４までカテーテル２を挿入させる。カテーテル２の挿入方向は、Ｘ軸方向である。
【００５０】
次に、雄ねじ３２を雌ねじ１５に羅合させて、第３部材３０を第１部材１０にねじ込こませる（ステップＳ３）。これにより、弾性部材４０は、第３部材３０に押圧されて縮径し、カテーテル２を固定する。
【００５１】
次に、軸部材１６を軸として第２部材２０を回動させる（ステップＳ４）。そして、第２突起部２３を第３穴３７に挿入する。これにより、カテーテルコネクタ１００は、第１突起部２２が第１穴１２を通って第１貫通孔１１に位置する第２状態になる。さらに、第２部材２０は、閉じた状態となる。
【００５２】
次に、接続部３５に、図示せぬ薬液注入器具を接続させ、第３貫通孔３３に薬液を注入する（ステップＳ５）。これにより、カテーテル２内に薬液が注入される。
【００５３】
１．３．  特徴
カテーテルコネクタ１００は、例えば、以下の特徴を有する。
【００５４】
カテーテルコネクタ１００では、カテーテル２が挿入される第１貫通孔１１と、第１貫通孔１１に連通する第１穴１２および第２穴１３とが設けられた第１部材１０と、カテーテル２が挿入され、第１貫通孔１１に連通する第２貫通孔４１が設けられ、カテーテル２を固定する弾性部材４０と、第１部材１０に軸部材１６を介して接続され、第１突起部２２を有する第２部材２０と、を含み、第２部材２０が軸部材１６を軸として回動することにより、第１突起部２２が第１貫通孔１１に位置しない第１状態と、第１突起部２２が第１穴１２を通って第１貫通孔１１に位置する第２状態と、になり、第１突起部２２は、第２状態において、カテーテル２を第２穴１３に押す。
【００５５】
そのため、カテーテルコネクタ１００では、第２状態において、カテーテル２が第１突起部２２に押されて屈曲する。したがって、カテーテルコネクタ１００では、カテーテルが屈曲せずＸ軸に沿って直線状に設けられている場合に比べて、意図せずにカテーテル２が−Ｘ軸方向に引っ張られた場合でも、カテーテル２が抜け難い。例えば、カテーテルコネクタ１００では、カテーテル２が引っ張られた場合に、カテーテル２と第１突起部２２とが接触することに起因する抵抗により、弾性部材４０に働く力を分散させることができ、カテーテル２が抜けることを抑制することができる。特に、カテーテルが濡れていると滑り易く、カテーテルが抜け易くなるが、このような場合であっても、カテーテルコネクタ１００では、カテーテル２が抜けることを抑制することができる。したがって、カテーテルコネクタ１００では、カテーテル２を安定して保持することができる。
【００５６】
さらに、カテーテルコネクタ１００では、第２穴１３が設けられている。そのため、カテーテルコネクタ１００では、第２穴が設けられていない場合に比べて、カテーテル２が第１突起部２２に押されても、第１突起部２２と、第１貫通孔１１の内面と、によってカテーテル２が潰されてカテーテル２に注入される薬液が通らなくなることを抑制することができる。
【００５７】
カテーテルコネクタ１００では、第１突起部２２は、第２状態において、カテーテル２と接する小突起部２２ａを有する。そのため、カテーテルコネクタ１００では、第１突起部２２は、より確実に、カテーテル２を屈曲させることができる。
【００５８】
カテーテルコネクタ１００では、雄ねじ３２が設けられた第３部材３０を含み、第１部材１０には、雄ねじ３２に螺合される雌ねじ１５が設けられ、第３部材３０が第１部材１０にねじ込まれることにより、弾性部材４０は、第３部材３０に押圧されて、カテーテル２を固定する。カテーテルコネクタ１００では、弾性部材４０は、第３部材３０に押圧さ
れることにより縮径するため、カテーテル２を固定することができる。
【００５９】
カテーテルコネクタ１００では、第１部材１０に対する第３部材３０の回転を制限するストッパー部を含み、ストッパー部は、第２部材２０に設けられた第２突起部２３であり、第３部材３０には、第３穴３７が設けられ、弾性部材４０が第３部材３０に押圧された状態で、第２部材２０が回動することにより、第２突起部２３は、第３穴３７に位置する。そのため、カテーテルコネクタ１００では、第２突起部２３が第３穴３７に位置した状態において、第１部材１０に対する第３部材３０の羅合が緩んで弾性部材４０のカテーテル２を固定する力が弱くなることを抑制することができる。
【００６０】
例えば、カテーテルコネクタに薬液注入器具を接続してカテーテルに薬液を注入した後、カテーテルコネクタから薬液注入器具を取り外す際に、意図せずに、第１部材に対する第３部材の羅合が緩みカテーテルがカテーテルコネクタから抜けてしまう場合がある。カテーテルコネクタ１００では、このような問題を回避することができる。
【００６１】
カテーテルコネクタ１００では、第２部材２０は、第２突起部２３を有し、第３部材３０は、第４突起部３８を有し、第３部材３０の第１部材１０に対するねじ込み量が所定値の場合に、弾性部材４０は、第３部材３０に押圧され、ねじ込み量が所定値未満の場合に、第２突起部２３は、第４突起部３８に当接する。そのため、カテーテルコネクタ１００を使用する使用者は、第２突起部２３が第４突起部３８に当接した場合に、第３部材３０の第１部材１０に対するねじ込み量が所定値未満であり、例えば、弾性部材４０のカテーテル２を固定する力が弱い状態であることに、容易に気が付くことができる。
【００６２】
カテーテルコネクタ１００では、第２部材２０が閉じた状態において、カテーテル２は、例えば、第１突起部２２と、第１部材１０の第２穴１３が形成されている穴形成部１３ａと、によって挟まされ、かつ、第１部材１０の第１貫通孔１１のテーパー部１１ａが形成されているテーパー部形成部１１ｂと、第２部材２０の貫通孔２５が形成されている貫通孔形成部２５ａと、によって挟まされる。そのため、カテーテルコネクタ１００では、よりいっそう、カテーテル２が抜け難い。
【００６３】
なお、上記では、第２穴１３が第１部材１０の表面から第１貫通孔１１まで設けられている例について説明したが、第２穴１３は、第２状態においてカテーテル２の屈曲部２ａが位置するように形成されていれば、有底の穴であってもよい。ただし、第２穴１３が第１部材１０の表面から第１貫通孔１１まで設けられていた方が、第２穴１３を形成し易い。
【００６４】
また、上記では、第３部材３０の第１部材１０に対するねじ込み量が所定値未満の場合に、第４突起部３８に当接する第３突起部と、第２突起部２３とが、同一の突起部である例について説明したが、第２突起部２３と第３突起部とは、別々の突起部であってもよい。だたし、第２突起部２３と第３突起部とが同一の突起部である方が、カテーテルコネクタ１００の構造を簡素にすることができる。
【００６５】
２．  カテーテルコネクタの変形例
次に、本実施形態の変形例に係るカテーテルコネクタについて、図面を参照しながら説明する。図１３は、本実施形態の変形例にカテーテルコネクタ２００の第１突起部２２を模式的に示す図である。
【００６６】
以下、本実施形態の変形例に係るカテーテルコネクタ２００において、上述した本実施形態に係るカテーテルコネクタ１００の例と異なる点について説明し、同様の点については説明を省略する。
【００６７】
上述したカテーテルコネクタ１００では、図９に示すように、第１突起部２２は、小突起部２２ａを１つ有していた。
【００６８】
これに対し、カテーテルコネクタ２００では、図１３に示すように、第１突起部２２は、小突起部２２ａを複数有している。小突起部２２ａの数は、特に限定されない。カテーテルコネクタ２００では、小突起部２２ａを複数有しているため、小突起部２２ａを１つしか有していない場合に比べて、例えば、第１突起部２２とカテーテル２との接触面積を大きくすることができる。そのため、カテーテルコネクタ２００では、カテーテル２が引っ張られた場合に、カテーテル２と第１突起部２２とが接触することに起因する抵抗を大きくすることができる。
【００６９】
なお、図示はしないが、第２状態において、カテーテル２を第２穴１３に押すことができれば、第１突起部２２は、小突起部２２ａを有していなくてもよい。
【００７０】
本発明は、本願に記載の特徴や効果を有する範囲で一部の構成を省略したり、各実施形態や変形例を組み合わせたりしてもよい。
【００７１】
本発明は、上述した実施形態に限定されるものではなく、さらに種々の変形が可能である。例えば、本発明は、実施形態で説明した構成と実質的に同一の構成を含む。実質的に同一の構成とは、例えば、機能、方法、及び結果が同一の構成、あるいは目的及び効果が同一の構成である。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【００７２】
２…カテーテル、２ａ…屈曲部、２ｂ…端、１０…第１部材、１１…第１貫通孔、１１ａ…テーパー部、１１ｂ…テーパー部形成部、１２…第１穴、１３…第２穴、１３ａ…穴形成部、１４…収容部、１５…雌ねじ、１６…軸部材、１７…被嵌合部、２０…第２部材、２１…貫通孔、２２…第１突起部、２２ａ…小突起部、２２ｂ…大突起部、２３…第２突起部、２４…嵌合部、２５…貫通孔、２５ａ…貫通孔形成部、３０…第３部材、３１…被収容部、３２…雄ねじ、３３…第３貫通孔、３４…狭窄部、３５…接続部、３６…雄ねじ、３７…第３穴、３７ａ…第１内面、３７ｂ…第２内面、３８…第４突起部、４０…弾性部材、４１…第２貫通孔、１００，２００…カテーテルコネクタ
【図１】
2020096754.tif 000003
【図２】
2020096754.tif 000004
【図３】
2020096754.tif 000005
【図４】
2020096754.tif 000006
【図５】
2020096754.tif 000007
【図６】
2020096754.tif 000008
【図７】
2020096754.tif 000009
【図８】
2020096754.tif 000010
【図９】
2020096754.tif 000011
【図１０】
2020096754.tif 000012
【図１１】
2020096754.tif 000013
【図１２】
2020096754.tif 000014
【図１３】
2020096754.tif 000015